(57)【要約】【課題】部品点数を増やすことなくボタンとプランジャとが強固に係合された押しボタンスイッチを提供すること。【解決手段】内壁にカム溝を有するハウジング３０１と、ボタン側係合片１１１とボタン側係合孔１１２とを有するボタン１０１と、プランジャ側係合片２０３とプランジャ側係合孔２０２とボタン１０１に対する押下操作の方向に対し垂直方向に摺動する滑動棒２１２とを有するプランジャ２０１とを備える非常停止押ボタンスイッチ１の製造方法は、プランジャ側係合孔２０２にボタン側係合片１１１を挿入し、ボタン側係合孔１１２にプランジャ側係合片２０３を挿入するステップと、カム溝３０４の形状に沿って滑動棒２１２の端部をカムとして滑動させながらプランジャ２０１をボタン１０１の中心軸を軸として回転させて、ボタン側係合片１１１とプランジャ側係合孔２０２とを係合させるステップとを含む。【選択図】図１
2019175822.tif 000002
【特許請求の範囲】
【請求項１】
内壁にカム溝を有するハウジングと、
ボタン側係合片と、ボタン側係合孔とを有するボタンと、
プランジャ側係合片と、プランジャ側係合孔と、前記ボタンに対する押下操作の方向に対し垂直方向に摺動する滑動棒とを有するプランジャと、
を備える押ボタンスイッチの製造方法であって、
前記プランジャ側係合孔に前記ボタン側係合片を挿入し、前記ボタン側係合孔に前記プランジャ側係合片を挿入するステップと、
前記カム溝の形状に沿って前記滑動棒の端部をカムとして滑動させながら前記プランジャを前記ボタンの中心軸を軸として回転させて、前記ボタン側係合片と前記プランジャ側係合孔とを係合させるステップとを含む、
押ボタンスイッチの製造方法。
【請求項２】
前記カム溝は、前記滑動棒の端部を滑動させる円周の方向に沿って徐々に深くなる、
請求項１に記載の押ボタンスイッチの製造方法。
【請求項３】
前記プランジャは、前記ボタンに対する復帰操作に必要とされる回転操作の角度を超える角度で回転して前記ボタンと係止される、
請求項１又は２に記載の押ボタンスイッチの製造方法。
【発明の詳細な説明】
【技術分野】
【０００１】
本発明は、押ボタンスイッチの製造方法に関する。
【背景技術】
【０００２】
通常、機器等を操作するための制御盤には、誤動作による事故の発生を回避するための非常停止押ボタンスイッチが設けられている。この非常停止押ボタンスイッチは、押下操作がなされると電源を遮断して機器等の稼働を直ちに停止させる。非常停止押ボタンスイッチには、安全確保の見地から、ボタン部分の形状や、押下操作後の復帰防止等についての様々な規定が存在するため、形状や構造に対して種々の制約が加わる。このため、非常停止押ボタンスイッチのボタン部分の形状はキノコ形や円錐形であり、また、非常停止押ボタンスイッチの構造はスナップリング等を用いたラッチ機能によって容易に通電状態を復帰させないようにしたものが一般的である。例えば、本出願人は、機器等の小型化、軽量化、携帯化の進展に対応した、コンパクトかつ安全性の高い非常停止押ボタンスイッチについて既に出願している（特許文献１参照）。
特許文献１に記載された非常停止押ボタンスイッチを含む従来の非常停止押ボタンスイッチは、例えば図８に示すように、ボタン側係合片により形成される係合孔に、プランジャ側係合片を挿入し、ボタン側係合片にプランジャ側係合片を引っ掛けることで、ボタンとプランジャとを係合させる。
【先行技術文献】
【特許文献】
【０００３】
【特許文献１】特願２０１７−１８９５３３号明細書及び図面
【発明の概要】
【発明が解決しようとする課題】
【０００４】
非常停止押ボタンスイッチは、押下されたボタンを復帰させる操作を行う際、ボタンを上方に引き上げるだけで復帰させることができるものもあれば、安全確保の見地から、単にボタンを上方に引き上げるだけでは復帰させることができない構造になっているものもある。例えば、押下されたボタンを復帰させるために、ボタンを約４５°程度回転させてからでなければ上方に引き上げることができない構造のものもある。
しかしながら、非常停止押ボタンスイッチが、ボタンを約４５°程度回転させてからでなければ上方に引き上げることができない構造である場合、ボタンとプランジャとの係合力が十分でないと、押下されたボタンを復帰させるための回転操作がなされたときに、回転操作の勢いでボタン側係合片とプランジャ側係合片との引っ掛かりが外れて、ボタンとプランジャとが分離してボタンが脱落してしまうことがある。
【０００５】
本発明は、このような状況に鑑みてなされたものであり、部品点数を増やすことなく、ボタンとプランジャとが強固に係合された押しボタンスイッチを提供することを目的とする。
【課題を解決するための手段】
【０００６】
上記目的を達成するため、本発明に係る押ボタンスイッチの製造方法は、
内壁にカム溝を有するハウジングと、
ボタン側係合片と、ボタン側係合孔とを有するボタンと、
プランジャ側係合片と、プランジャ側係合孔と、前記ボタンに対する押下操作の方向に対し垂直方向に摺動する滑動棒とを有するプランジャと、
を備える押ボタンスイッチの製造方法であって、
前記プランジャ側係合孔に前記ボタン側係合片を挿入し、前記ボタン側係合孔に前記プランジャ側係合片を挿入するステップと、
前記カム溝の形状に沿って前記滑動棒の端部をカムとして滑動させながら前記プランジャを前記ボタンの中心軸を軸として回転させて、前記ボタン側係合片と前記プランジャ側係合孔とを係合させるステップとを含む。
【０００７】
この発明によれば、ハウジングの内壁に設けられたカム溝の形状に沿って滑動棒の端部がカムとして滑動すると、プランジャがボタンの中心軸を軸として回転するので、ボタン側係合片とプランジャ側係合片とを強固に係合させることができる。その結果、部品点数を増やすことなく、ボタンとプランジャとが強固に係合された押しボタンスイッチを提供することが可能となる。
【０００８】
また、前記カム溝は、前記滑動棒の端部を滑動させる円周の方向に沿って徐々に深くなる、ことが好ましい。
この発明によれば、前記滑動棒の端部を滑動させる円周方向に沿って徐々に深くなるので、ハウジングの内壁に設けられたカム溝の形状に沿って滑動棒の端部がカムとしてスムーズに滑動するとともに逆方向に滑動しないので、ボタン側係合片とプランジャ側係合片とをより強固に係合させることができる。その結果、部品点数を増やすことなく、ボタンとプランジャとがより強固に係合された押しボタンスイッチを提供することが可能となる。
【０００９】
また、前記プランジャは、前記ボタンに対する復帰操作に必要とされる回転操作の角度を超える角度で回転して前記ボタンと係合する、ことが好ましい。
この発明によれば、プランジャが、ボタンに対する復帰操作に必要とされる回転操作の角度を超える角度で回転してボタンとプランジャとが係合される。このため、押下されたボタンを復帰させるための回転操作がなされたときに、回転操作の勢いでボタン側係合片とプランジャ側係合片との引っ掛かりが外れて、ボタンとプランジャとが分離してボタンが脱落してしまうことを防ぐことができる。
【発明の効果】
【００１０】
この発明によれば、部品点数を増やすことなく、ボタンとプランジャとがより強固に係合された押しボタンスイッチを提供することが可能となる。
【図面の簡単な説明】
【００１１】
【図１】本発明の押ボタンスイッチの一実施形態である非常停止押ボタンスイッチの分解斜視図である。
【図２】図１の非常停止押ボタンスイッチのうち、ハウジング、ラッチコイルバネ、滑動棒、及びねじりコイルバネの位置関係を示す図である。
【図３】図１の非常停止押ボタンスイッチのうち、ボタンの構成を示す図である。
【図４】図１の非常停止押ボタンスイッチのうち、ボタンとプランジャとが係合する仕組みを示す図である。
【図５】図１の非常停止押ボタンスイッチにおいて、ボタンとプランジャとが係合する前の状態を示す図である。
【図６】図１の非常停止押ボタンスイッチにおいて、ボタンとプランジャとが係合した後の状態を示す図である。
【図７】ボタンとプランジャとを係合させるまでの流れを示すフローチャートである。
【図８】従来の非常停止押ボタンスイッチの構成を示す断面図である。
【発明を実施するための形態】
【００１２】
本発明の押ボタンスイッチの一実施形態に係る非常停止押ボタンスイッチ１について、図面を参照しつつ説明する。なお、本発明は下記の実施形態に限定されるものではない。
【００１３】
［基本構成］
非常停止押ボタンスイッチ１は、通電状態にある機器等を遮断状態にして緊急停止させるために用いられるスイッチであり、図１に示すように、操作部１１と、ねじりコイルバネ１２と、プランジャ部１３と、ハウジング部１４と、接点ユニット部１５と、固定部１６とで構成されている。
【００１４】
以下、非常停止押ボタンスイッチ１の各構成要素について詳しく説明する。
（操作部）
操作部１１は、図１に示すように、ボタン１０１と、ボタンコイルバネ１０２とで構成されている。
【００１５】
ボタン１０１は、図１に示すように、非常停止押ボタンスイッチ１の最上部に配置される円筒状のボタンであり、ボタン側係合片１１１とボタン側係合孔１１２とを有する。
ボタン１０１に対する押下操作がなされると、押下操作に連動して、後述する接点ユニット部１５の可動接片５０２と固定端子５０３とが開離する。この開離により、通電状態にあった機器等が遮断状態になる。
ボタン１０１の形状は特に限定されないが、緊急時に非常停止押ボタンスイッチ１を押下操作する操作者が、機器等を非常停止させるためのスイッチであることを容易に認識でき、かつ掌で押し易い形状であることが好ましく、例えばキノコ形状であることがより望ましい。
なお、ボタン側係合片１１１及びボタン側係合孔１１２の詳細については、図３を参照して後述する。
【００１６】
ボタンコイルバネ１０２は、図１、図２、図５、及び図６に示すように、ボタン１０１とプランジャ２０１との間に配置されたコイルバネである。
ボタンコイルバネ１０２は、ボタン１０１が押下される際に加えられる力を若干吸収するため、ボタン１０１に若干の遊びを持たせることができる。その結果、ボタン１０１に対する誤操作による機器等の遮断を防ぐことができる。
また、ボタン１０１とプランジャ２０１とを係合させる具体的手法については後述するが、ボタンコイルバネ１０２は、ボタン１０１とプランジャ２０１とが係合された後、弾性変形することでボタン側係合片１１１とプランジャ側係合片２０３とを圧接する。これにより、ボタン側係合片１１１とプランジャ側係合片２０３との間の係止力を高めることができる。
【００１７】
（ねじりコイルバネ）
ねじりコイルバネ１２は、図１、図２、図５、及び図６に示すように、ボタン１０１の内側に配置されるコイルバネであり、一端が後述するハウジング３０１の内壁に係合され、他端がボタン１０１の内壁に係合される。
ボタン１０１に対する押下操作が行われた後に、ボタン１０１を復帰させるためにボタン１０１に対して回転操作がなされると、ねじりコイルバネ１２は、弾性変形して、押下された状態にあるボタン１０１を押下操作前の状態に復帰させる。この回転操作により、ボタン１０１が押下操作前の状態に復帰すると、開離状態にあった後述する可動接片５０２と固定端子５０３とが接触した状態（押下操作前の状態）に復帰する。なお、ボタン１０１に対する回転操作の回転角度は特に限定されないが、一般的な非常停止押ボタンスイッチの場合、４５°程度の回転角度で復帰操作がなされる。
ねじりコイルバネ１２の内側には、ねじりコイルバネ１２の内側のスペースを利用して、プランジャ部１３が配置される。
【００１８】
（プランジャ部）
プランジャ部１３は、図１に示すように、プランジャ２０１と、プランジャ側係合孔２０２と、プランジャ側係合片２０３と、ラッチコイルバネ２１１と、滑動棒２１２とを含むように構成されている。
【００１９】
プランジャ２０１は、ねじりコイルバネ１２の内側、かつ後述するハウジング３０１を挿通してハウジング３０１の上部の開口部を塞ぐように配置されるプランジャであり、ボタン１０１に対する押下操作に連動して上下に摺動する。プランジャ２０１の中心部には、貫通孔２１３が設けられており、貫通孔２１３の内部にラッチコイルバネ２１１が配置される。ラッチコイルバネ２１１の両端部には滑動棒２１２が接合される。
プランジャ側係合孔２０２及びプランジャ側係合片２０３の詳細については、図４を参照して後述する。
【００２０】
ボタン１０１に対する押下操作が行われると、プランジャ２０１は、押下操作の方向に摺動する。プランジャ２０１が押下操作の方向に摺動すると、滑動棒２１２は、押下操作の方向に対して垂直方向に摺動しながら、後述するハウジング３０１の上部の開口部の内壁に沿って端部を滑動させる。すなわち、プランジャ部１３は、ラッチ機構を有する構成となっている。後述するハウジング３０１の上部の開口部の内壁は、一部に突起部が設けられている。このため、プランジャ２０１は、滑動棒２１２の端部が突起部の頂部（以下「ラッチ点」と呼ぶ）を通過する前は、後述する接点ユニット部１５の可動接片５０２が固定端子５０３と接触する方向に付勢する。これに対して、滑動棒２１２の端部がラッチ点を通過した後は、プランジャ２０１は、可動接片５０２が固定端子５０３と開離する方向に付勢する。
【００２１】
（ハウジング部）
ハウジング部１４は、ハウジング３０１と、防水ゴム３０２とを含むように構成されている。
【００２２】
ハウジング３０１は、上部と下部との夫々に開口部を有する筒形のハウジングである。ハウジング３０１の上部の外周には、防水ゴム３０２を配置させるための溝３０３が設けられている。防水ゴム３０２が溝３０３に配置されることにより、ボタン１０１の内部に水や埃等の異物が侵入することを防ぐことができる。その結果、ボタン１０１の内部に異物が侵入することにより生じ得る故障や事故等を防ぐことができる。
【００２３】
（接点ユニット部）
接点ユニット部１５は、図１に示すように、ケース５０１と、可動接片５０２と、固定端子５０３と、転換子５０４とを含むように構成されている。接点ユニット部１５は、ハウジング３０１の下部の開口部を塞ぐように配置されている。
【００２４】
可動接片５０２は、通常時は固定端子５０３と接触した状態にあるが、ボタン１０１に対する押下操作に連動して開離した状態になる。また、可動接片５０２は、押下操作れた後のボタン１０１に対する復帰操作に連動して固定端子５０３と接触した状態に戻る。すなわち、ボタン１０１に対する押下操作に連動して可動接片５０２が固定端子５０３と接触した状態から開離した状態になると、通電状態にある機器等が遮断状態になる。これに対して、ボタン１０１に対する復帰操作に連動して可動接片５０２が固定端子５０３と接触した状態に戻ると、遮断状態にあった機器等が通電状態に戻る。
【００２５】
（固定部）
固定部１６は、丸ナット４０１と、ゴム座金４０２とで構成されている。
【００２６】
丸ナット４０１は、非常停止押ボタンスイッチ１を制御盤（図示せず）に固定するための部材である。ゴム座金４０２は、制御盤と丸ナット４０１との間に配置される。これにより、制御盤と非常停止押ボタンスイッチ１との接合部に隙間が生じる事を防ぐことができる。その結果、非常停止押ボタンスイッチ１が制御盤から脱落しないように固定することができる。また、制御盤と非常停止押ボタンスイッチ１との接合部から水や埃等の異物が制御盤の内部に侵入することを防ぐことができる。
【００２７】
［ボタンとプランジャとの係合］
上記のような構成のプランジャ２０１と、ボタン１０１とを係合させる具体的手法について、図２〜図８を参照して説明する。
【００２８】
図２は、図１の押ボタンスイッチのうち、ハウジング３０１、ラッチコイルバネ２１１、滑動棒２１２、及びねじりコイルバネ１２の位置関係を示す図である。図２（Ａ）は、プランジャ２０１がハウジングの中心で係止された状態を示す断面斜視図である。図２（Ｂ）は、プランジャ２０１が回転する前の状態を示す平面図である。図２（Ｃ）は、プランジャ２０１が回転した後の状態を示す平面図である。
【００２９】
非常停止押ボタンスイッチ１に対する押下操作がなされる前は、プランジャ２０１は、図２（Ａ）に示すように、滑動棒２１２の両端部がハウジング３０１のカム溝３０４を押圧することで、ハウジング３０１の中央部で係止された状態となる。
ハウジング３０１のカム溝３０４は、図２（Ｂ）及び（Ｃ）に示すように、ラッチ点Ｐから上方に向かって設けられており、滑動棒２１２の端部がカムとして滑動する周方向に沿って徐々に溝が深くなる構成となっている。すなわち、溝の径方向の寸法が徐々に大きくなる構成となっている。このため、ハウジング３０１の下方から挿入されたプランジャ２０１の滑動棒２１２の端部がラッチ点Ｐを乗り越えると、プランジャ２０１が上方に摺動しながら自動的に回転を開始し、その回転角度に比例して、貫通孔２１３からカム溝３０４に向かって伸長する滑動棒２１２の長さが長くなる。これにより、ラッチコイルバネ２１１は、弾性エネルギーを解放する方向に移行する。その結果、図２（Ｂ）の状態にあったプランジャ２０１が回転して図２（Ｃ）の状態になる。
プランジャ２０１が回転する角度は特に限定されないが、図２に示す例では９０°回転する構成となっている。これにより、例えば押下された非常停止押ボタンスイッチ１に対する復帰操作がなされるときに、一般的な４５°の回転操作が必要とされる場合であっても、ボタン１０１に対する復帰操作に必要とされる回転操作の角度を超える角度（９０°）でプランジャ２０１を回転させてボタンとプランジャとを係合させているので、回転操作の勢いでボタン側係合片１１１とプランジャ側係合片２０３との引っ掛かりが外れることがない。その結果、ボタン１０１とプランジャ２０１とが分離してボタン１０１が脱落してしまうことを防ぐことができる。
【００３０】
図３は、非常停止押ボタンスイッチ１のうち、ボタン１０１の構成を示す図である。図３（Ａ）は、ボタン１０１の断面斜視図である。図３（Ｂ）は、ボタン１０１の底面図である。
【００３１】
ボタン１０１は、図３（Ａ）及び（Ｂ）に示すように、内壁の一部にボタン側係合片１１１と、ボタン側係合孔１１２とを有する。ボタン側係合片１１１は、プランジャ側係合孔２０２に挿入する係合片である。ボタン側係合孔１１２は、プランジャ側係合片２０３に挿入される係合孔である。ボタン側係合片１１１及びボタン側係合孔１１２は、押下方向に延びるボタン１０１の中心軸に対して対象に一対ずつ形成されていることが望ましい。
【００３２】
図４は、非常停止押ボタンスイッチ１のうち、ボタン１０１とプランジャ２０１とが係合する仕組みを示す図である。図４（Ａ）は、プランジャ２０１の斜視図である。図４（Ｂ）は、ボタン１０１とプランジャ２０１とが係合する前の状態を示す断面斜視図である。図４（Ｃ）は、ボタン１０１とプランジャ２０１とが係合した後の状態を示す断面斜視図である。
【００３３】
プランジャ２０１には、図４（Ａ）に示すように、プランジャ側係合孔２０２とプランジャ側係合片２０３とが設けられている。プランジャ側係合孔２０２は、ボタン側係合片１１１を挿入する係合孔である。プランジャ側係合片２０３は、ボタン側係合孔１１２に挿入する係合片である。プランジャ側係合孔２０２及びプランジャ側係合片２０３は、挿入方向に延びるプランジャ２０１の中心軸に対して対象に一対ずつ形成されていることが望ましい。
まず、図４（Ｂ）に示すように、ボタン側係合片１１１の位置とプランジャ側係合孔２０２の位置とを合わせて、プランジャ２０１をボタン１０１の奥に挿入し、次に、図４（Ｃ）に示すように、プランジャ２０１を９０°回転させる。これにより、ボタン側係合片１１１の位置とプランジャ側係合孔２０２の位置とがずれて、ボタン側係合片１１１とプランジャ側係合片２０３とが係合されるので、プランジャ２０１を再び９０°回転させない限り、ボタン側係合片１１１とプランジャ側係合片２０３とが係合された状態を維持させることができる。
【００３４】
図５は、非常停止押ボタンスイッチ１において、ボタン１０１とプランジャ２０１とが係合する前の様子を示す図である。図５（Ａ）は、非常停止押ボタンスイッチ１の上部の断面斜視図である。図５（Ｂ）は、図５（Ａ）のａ−ａ断面図である。
【００３５】
図５（Ａ）の状態では、滑動棒２１２の両端部が未だラッチ点Ｐよりも下方に位置している。この状態のときのボタン側係合片１１１と、プランジャ側係合孔２０２及びプランジャ側係合片２０３との位置関係は、図５（Ｂ）に示すように、ボタン側係合片１１１とプランジャ側係合孔２０２とが重なり合った状態、及びボタン側係合孔１１２とプランジャ側係合片２０３とが重なり合った状態となっている。すなわち、ボタン側係合片１１１とプランジャ側係合片２０３とが未だ係合されていない状態であるため、ボタン１０１がハウジング３０１の上に単に被さった状態にすぎないため、ボタン１０１を持ち上げれば取れてしまう状態である。
【００３６】
図６は、非常停止押ボタンスイッチ１において、ボタン１０１とプランジャ２０１とが係合した後の様子を示す図である。図６（Ａ）は、非常停止押ボタンスイッチ１の上部の断面斜視図である。図６（Ｂ）は、図６（Ａ）のａ−ａ断面図である。
【００３７】
図６（Ａ）の状態は、滑動棒２１２の両端部がラッチ点Ｐよりも上方に位置している。この状態のときのボタン側係合片１１１と、プランジャ側係合孔２０２との位置関係は、図６（Ｂ）に示すように、プランジャ２０１が９０°回転して、ボタン側係合片１１１とプランジャ側係合片２０３とがずれた状態となっている。すなわち、ボタン側係合片１１１とプランジャ側係合片２０３とが係合された状態となっている。この場合、上述したように、プランジャ２０１を再び９０°回転させない限りボタン側係合片１１１とプランジャ側係合片２０３とが係合された状態を維持させることができる。
【００３８】
図７は、ボタン１０１とプランジャ２０１とを係合させるまでの流れを示すフローチャートである。
【００３９】
ステップＳ１において、ハウジング３０１の上部にボタン１０１を被せた状態で、ハウジング３０１の内部にプランジャ２０１を挿入するとともに、プランジャ側係合孔２０２の位置にボタン側係合片１１１の位置を合わせ、プランジャ側係合孔２０２にボタン側係合片１１１を挿入する。
ステップＳ２において、滑動棒２１２の端部がラッチ点Ｐを乗り越えるまで、プランジャ２０１をハウジングの奥の方向にさらに押し込む。
ステップＳ３において、カム溝３０４の形状に沿って滑動棒２１２の端部をカムとして滑動させて、プランジャ２０１を９０°回転させる。
以上のステップを経ることで、ボタン１０１とプランジャ２０１とを係合させることができる。
【００４０】
以上、本発明の一実施形態について説明したが、本発明は、上述の実施形態に限定されるものではなく、本発明の目的を達成できる範囲での変形、改良等は本発明に含まれるものである。また、本発明に係る要旨を逸脱しない範囲内であれば種々の変更を施してもよい。
【００４１】
例えば、本実施形態では、非常停止押ボタンスイッチとしたが、必ずしも非常停止用の押ボタンスイッチである必要はなく、例えば通常の押ボタンスイッチであってもよい。
【００４２】
以上まとめると、本発明が適用される押ボタンスイッチの製造方法は、次のような構成を取れば足り、各種各様な実施形態を取ることができる。
すなわち、本発明に係る押ボタンスイッチ（例えば図１の非常停止押ボタンスイッチ１）の製造方法は、
内壁にカム溝（例えば図２のカム溝３０４）を有するハウジング（例えば図２のハウジング３０１）と、
ボタン側係合片（例えば図３のボタン側係合片１１１）と、ボタン側係合孔（例えば図３のボタン側係合孔１１２）とを有するボタン（例えば図３のボタン１０１）と、
プランジャ側係合片（例えば図２のプランジャ側係合片２０３）と、プランジャ側係合孔（例えば図２のプランジャ側係合孔２０２）と、前記ボタンに対する押下操作の方向に対し垂直方向に摺動する滑動棒（例えば図２の滑動棒２１２）とを有するプランジャ（例えば図２のプランジャ２０１）と、
を備える押ボタンスイッチの製造方法であって、
前記プランジャ側係合孔に前記ボタン側係合片を挿入し、前記ボタン側係合孔に前記プランジャ側係合片を挿入するステップと、
前記カム溝の形状に沿って前記滑動棒の端部をカムとして滑動させながら前記プランジャを前記ボタンの中心軸を軸として回転させて、前記ボタン側係合片と前記プランジャ側係合孔とを係合させるステップとを含む。
これにより、ハウジングの内壁に設けられたカム溝の形状に沿って滑動棒の端部がカムとして滑動させると、プランジャがボタンの中心軸を軸として回転するので、ボタン側係合片とプランジャ側係合片とを強固に係合させることができる。その結果、部品点数を増やすことなく、ボタンとプランジャとが強固に係合された押しボタンスイッチを提供することが可能となる。
【００４３】
また、本発明に係る押ボタンスイッチにおいて、前記カム溝は、前記滑動棒の端部を滑動させる円周の方向に沿って徐々に深くすることができる。
これにより、前記滑動棒の端部を滑動させる円周方向に沿って徐々に深くなるので、ハウジングの内壁に設けられたカム溝の形状に沿って滑動棒の端部がカムとしてスムーズに滑動するとともに、逆方向に滑動しないので、ボタン側係合片とプランジャ側係合片とをより強固に係合させることができる。その結果、部品点数を増やすことなく、ボタンとプランジャとがより強固に係合された押しボタンスイッチを提供することが可能となる。
【００４４】
また、本発明に係る押ボタンスイッチにおいて、前記プランジャは、前記ボタンに対する復帰操作に必要とされる回転操作の角度（例えば４５°）を超える角度（例えば９０°）で回転して前記ボタンと係合することができる。
これにより、プランジャが、ボタンに対する復帰操作に必要とされる回転操作の角度を超える角度で回転してボタンとプランジャとが係合される。このため、押下されたボタンを復帰させるための回転操作がなされたときに、回転操作の勢いでボタン側係合片とプランジャ側係合片との引っ掛かりが外れて、ボタンとプランジャとが分離してボタンが脱落してしまうことを防ぐことができる。
【符号の説明】
【００４５】
１・・・  非常停止押ボタンスイッチ
１１・・・  操作部
１２・・・  ねじりコイルバネ
１３・・・  プランジャ部
１４・・・  ハウジング部
１５・・・  接点ユニット部
１６・・・  固定部
１０１・・・  ボタン
１０２・・・  ボタンコイルバネ
１１１・・・  ボタン側係合片
１１２・・・  ボタン側係合孔
２０１・・・  プランジャ
２０２・・・  プランジャ側係合孔
２０３・・・  プランジャ側係合片
２１１・・・  プランジャコイルバネ
２１２・・・  滑動棒
２１３・・・  貫通孔
３０１・・・  ハウジング
３０２・・・  防水ゴム
３０３・・・  （防水ゴムを配置する）溝
３０４・・・  カム溝
４０１・・・  丸ナット
４０２・・・  ゴム座金
５０１・・・  ケース
５０２・・・  可動接片
５０３・・・  固定端子
５０４・・・  転換子
Ｐ・・・  ラッチ点
【図１】
2019175822.tif 000003
【図２】
2019175822.tif 000004
【図３】
2019175822.tif 000005
【図４】
2019175822.tif 000006
【図５】
2019175822.tif 000007
【図６】
2019175822.tif 000008
【図７】
2019175822.tif 000009
【図８】
2019175822.tif 000010